(57)【要約】      （修正有）【課題】フィンのガタつきを防止しつつ製品コストを下げることができる空調用吹出し口装置を提供する。【解決手段】フィン４０は、連結軸４３からフィン本体４４に向かって延びると共に連結軸４３より外径又は軸直角方向の幅が大きい当接部４５を有し、連結軸４３の先端にリンク６０が抜けることを防止する抜け止め部４６を有している。リンク６０は、当接部４５に摺接する摺接面６５ａを有する摺接孔６５と、連結軸４３が隙間７２がある状態で嵌められる挿入孔６４と、を有している。【選択図】図１０
2019031192.tif 000002
【特許請求の範囲】
【請求項１】
吹出し口を有する吹出し口パネルと、相互に平行な軸線まわりの回動を可能として支承される前記吹出し口に並行に配置される複数のフィンと、これらのフィンの配列方向に延び、回動可能に連結するリンクと、を備え、
前記フィンは、フィン本体と、このフィン本体から延ばされ前記吹出し口パネルに取り付けられるフィン組立体又は筒部に形成される凹部又は孔に嵌合する支持軸と、前記支持軸に並列して設けられ前記リンクに嵌合する連結軸と、を備えている空調用吹出し口装置において、
複数の前記連結軸の少なくとも一つは、この連結軸から前記フィン本体に向かって延びると共に前記連結軸より外径又は軸直角方向の幅が大きい当接部を有し、前記連結軸の先端に前記リンクが抜けることを防止する抜け止め部を有しており、
前記リンクは、前記当接部に摺接する摺接面を有する摺接孔と、前記抜け止め部が通過する挿入孔と、を有していることを特徴とする空調用吹出し口装置。
【請求項２】
請求項１記載の空調用吹出し口装置であって、
前記当接部及び前記連結軸は、円柱状を呈していることを特徴とする空調用吹出し口装置。
【請求項３】
請求項１又は請求項２記載の空調用吹出し口装置であって、
前記抜け止め部は、先端に向けて先細り形状を呈していることを特徴とする空調用吹出し口装置。
【請求項４】
請求項１〜３のいずれか１項記載の空調用吹出し口装置であって、
前記リンクは、リンク本体部と、このリンク本体部に部分的に付設される柱状のボス部とからなり、前記リンク本体部には主として前記挿入孔が形成され、前記ボス部には主として前記摺接孔が形成されていることを特徴とする空調用吹出し口装置。
【発明の詳細な説明】
【技術分野】
【０００１】
本発明は、例えば自動車又は車両用の空調装置の吹出し口に備えられるフィン装置に関し、特に通風路内に複数のフィンを並設し、フィンを回動させて風向を調整する吹出し口装置に関する。
【背景技術】
【０００２】
自動車の空調用吹出し口装置として、風向を調整するためにハウジングの通風路内に、前可動フィンと後可動フィンを前後し且つ各々のフィンを直交するように配し、前可動フィンの横フィン上に摺動可能に外嵌させた操作ノブなどを操作して、前可動フィン又は後可動フィンを回動させ、風向を調整するものが知られている（例えば、特許文献１、特許文献２参照）。
【０００３】
特許文献１では、各フィンのうちの少なくとも１個の第１のフィンを除く第２のフィンの連結軸を、円柱状の軸部とこの軸部の径より大きい寸法の円形状頭部とからなる形状に形成する。第１のフィンの連結軸を、第２のフィンの連結軸より大径で長軸の円柱状に形成する。一方、連結部材の各嵌合孔のうちの少なくとも１個の第１の嵌合孔を第１のフィンの連結軸の径および軸長に対応して第２の嵌合孔より大径で長軸の円形状に形成するというものである。
【０００４】
第１のフィンの連結軸は、連結部材の第１の嵌合孔に対しては円滑に挿入され、同嵌合孔を変形させることがない。このため、第１の嵌合孔と第１のフィンの連結軸とは摺接状態が保たれ、設定された摺動抵抗を確保することができる。
【０００５】
一方、第２のフィンの連結軸は、頭部を有したままの状態なので嵌合孔が拡開してしまい、連結軸と嵌合孔との摺動抵抗が小さくなり、強モードでの風量時に意図する位置に保持することが困難になる恐れがある。このため、嵌合孔(特許文献１の図３、符合１１ｃ、１２ｃ)等での荷重調整を行わなくてはならなくなり、熟成工数の増加やコストアップに繋がってしまう。また、第２のフィンの頭部を無くすことも考え得るが、脱落を防止することが出来なくなる。
【０００６】
すなわち、特許文献１によれば、第２のフィンの連結軸は、拡開した嵌合孔に嵌っているため、この嵌合孔と第２のフィンの連結軸との間に比較的大きな隙間が発生する。隙間が大きいため、第２のフィンが隙間分だけガタつくことがあり、強モードでの風量時に意図する位置に保持することが困難になる恐れがある。
【０００７】
また、特許文献２は、羽根部を設けたフィンと、軸支部を介してこのフィンに回動可能に連結される連結体とを具備し、前記軸支部は、前記フィン及び前記連結体の一方に設けられた軸部と、前記フィン及び前記連結体の他方に設けられた軸受部とを備え、前記軸部は、略円柱状の軸本体と、この軸本体の先端側に位置しこの軸本体から少なくとも一部が径方向に突出する略正多角形状の頭部とが設けられ、前記軸受部には、支持板部と、この支持板部を貫通し、前記軸本体が回動可能に挿通するとともに前記頭部が所定の位置でのみ挿通可能な略正多角形状の軸孔とが設けられたものである。
【０００８】
軸部を軸受部の軸孔に挿入して所定角度だけ回動させることで、フィンが連結体に回動可能に取り付けられる。フィンを連結体に回動可能に取り付けた状態で、軸部の頭部が軸受部の支持板部に対向して抜け止めされる。
頭部は略正多角形状であるため、略均等な３ヶ所以上で支持板部に対向し、軸方向と交差する方向から力が加わった場合にも、フィンが簡単には外れず安定して回動可能となる。
【０００９】
しかし、連結体を組付ける際にフィンを回動しないといけない為、作業が煩わしくなる。また、フィンの可動角度は通常使用時の作動範囲として十分な作動範囲が確保されているが、フィンシャット（全閉に）する場合など大きく可動角度を設定する場合は対応出来ない。よって、設計自由度を阻害する。
さらに、多角形と円柱の線接触となるので、高い摺動抵抗が好まれる場合には限界が生じる恐れがあり、他部品にて摺動抵抗を上げる対策や部品の追加等を講じなくてはならなくなり、熟成工数の増加やコストアップに繋がってしまう。
【００１０】
すなわち、特許文献２は、フィンのガタつき現象を解消することができるものの、構造が複雑であって製品コストが嵩む。
【００１１】
製品品質の向上と製品コストの低減の両方が求められる中、フィンのガタつきを防止しつつ製品コストを下げることができる空調用吹出し口装置が求められる。
【先行技術文献】
【特許文献】
【００１２】
【特許文献１】特開平０８−１１３０２９号公報
【特許文献２】特開２００６−０１５８４０号公報
【発明の概要】
【発明が解決しようとする課題】
【００１３】
本発明は、フィンのガタつきを防止しつつ製品コストを下げることができる空調用吹出し口装置を提供することを課題とする。
【課題を解決するための手段】
【００１４】
請求項１に係る発明は、吹出し口を有する吹出し口パネルと、相互に平行な軸線まわりの回動を可能として支承される前記吹出し口に並行に配置される複数のフィンと、これらのフィンの配列方向に延び、回動可能に連結するリンクと、を備え、
前記フィンは、フィン本体と、このフィン本体から延ばされ前記吹出し口パネルに取り付けられるフィン組立体又は筒部に形成される凹部又は孔に嵌合する支持軸と、前記支持軸に並列して設けられ前記リンクに嵌合する連結軸と、を備えている空調用吹出し口装置において、
複数の前記連結軸の少なくとも一つは、この連結軸から前記フィン本体に向かって延びると共に前記連結軸より外径又は軸直角方向の幅が大きい当接部を有し、前記連結軸の先端に前記リンクが抜けることを防止する抜け止め部を有しており、
前記リンクは、前記当接部に摺接する摺接面を有する摺接孔と、前記抜け止め部が通過する挿入孔と、を有していることを特徴とする。
【００１５】
請求項２に係る発明は、請求項１記載の空調用吹出し口装置であって、
前記当接部及び前記連結軸は、円柱状を呈していることを特徴とする。
【００１６】
請求項３に係る発明は、請求項１又は請求項２記載の空調用吹出し口装置であって、
前記抜け止め部は、先端に向けて先細り形状を呈していることを特徴とする。
【００１７】
請求項４に係る発明は、請求項１〜３のいずれか１項記載の空調用吹出し口装置であって、
前記リンクは、リンク本体部と、このリンク本体部に部分的に付設される柱状のボス部とからなり、前記リンク本体部には主として前記挿入孔が形成され、前記ボス部には主として前記摺接孔が形成されていることを特徴とする。
【発明の効果】
【００１８】
請求項１に係る発明では、フィン側の連結軸がリンク側の挿入孔に隙間がある状態で嵌るものの、フィン側の当接部がリンク側の摺接孔に摺接した状態で嵌っている。
当接部と摺接孔との嵌合により、フィンのガタつきを防止することができる。
また、フィン側に当接部と連結軸と抜け止め部を設け、リンク側に摺接孔と挿入孔とを設けるだけであるから、フィン及びリンクの構造が単純であって安価である。
よって、本発明によれば、フィンのガタつきを防止しつつ製品コストを下げることができる空調用吹出し口装置が提供される。
【００１９】
請求項２に係る発明では、当接部及び連結軸は、円柱状を呈している。これにより、接触面積が大きくなる。設定された摺動抵抗を容易に確保することができ、回動の際の均一な抵抗を付与することができる。
また、円柱であれば、形状が単純であるため、金型設計が容易になる。
【００２０】
請求項３に係る発明では、抜け止め部は、先端に向けて先細り形状を呈している。
リンクの組付け時に、抜け止め部と挿入孔の干渉部位が最小限に抑えられる。結果、挿入孔の変形が防止されると共に組付けが容易になる。
また、先細り形状がガイド作用を発揮するため、挿入孔へ抜け止め部が進入しやすくなり、挿入孔の変形防止と組付け性の向上とが図れる。
【００２１】
請求項４に係る発明では、リンクは、リンク本体部と、このリンク本体部に部分的に付設される柱状のボス部とからなる。隣接するボス部とボス部の間の肉抜きが可能であるため、リンクの軽量化が図れると共に、樹脂材料の所要量を減らすことができる。
【図面の簡単な説明】
【００２２】
【図１】本発明に係る空調用吹出し口装置の分解斜視図である。
【図２】本発明に係る空調用吹出し口装置の正面図である。
【図３】図２の３−３線断面図である。
【図４】図２の４−４線断面図である。
【図５】フィンの形状及び構造を説明する図である。
【図６】フィン本体と当接部との接続部位における断面形状を説明する図である。
【図７】リンクの形状及び構造を説明する図である。
【図８】リンクの長手断面図である。
【図９】フィンにリンクを取り付ける工程を説明する図である。
【図１０】リンクが取り付けられたフィンの要部を示す図である。
【図１１】抜け止め部の形態を説明する図である。
【図１２】リンクの形態を説明する断面図である。
【図１３】当接部の変更例を説明する図である。
【図１４】当接部の更なる変更例を説明する図である。
【発明を実施するための形態】
【００２３】
本発明の実施の形態を添付図に基づいて以下に説明する。なお、図面は符号の向きに見るものとする。
【実施例】
【００２４】
図１に示すように、空調用吹出し口装置１０は、前面（車室内側の面）に吹出し口２１を有する吹出し口パネル２０と、並列させた複数の横フィン３１を有するフィン組立体３０と、このフィン組立体３０に取り付けられ相互に平行な軸線４１まわりの回動を可能として支承される吹出し口２１に並行に配置される複数のフィン４０と、これらのフィン４０の配列方向に延び、回動可能に連結するリンク６０と、複数のフィン４０の一つに取り付けられる操作ノブ６１とを備えている。
【００２５】
フィン４０は、横フィン３１の後方に（車室内から遠い部位に）配置され、横フィン３１と略直交するように縦向きに配置される。
【００２６】
吹出し口パネル２０は、角形の筒部２２を備え、この筒部２２の車室端が吹出し口２１となっており、筒部２２に左右一対の嵌合ピン２３、２３を備えている。
フィン組立体３０は、角筒状の枠部３２に略水平に且つ互いに略平行に延びる複数（例えば４枚）の横フィン３１を備え、枠部３２の左右の側面３２ａに、嵌合凹部３３及びこの嵌合凹部３３へ嵌合ピン２３を案内する案内部３４を備えている。
【００２７】
フィン４０とリンク６０の詳細な構造は後述するが、フィン組立体３０の枠部３２に設けられている孔３５（又は凹部）に、矢印（１）のように、フィン４０側の支持軸４２が嵌ることで、フィン４０は枠部３２に縦向きに且つ回動可能に取り付けられる。
次に、上下の横フィン３１、３１の間を通すようにして、矢印（２）のように、一つのフィン４０に、操作ノブ６１が嵌められる。
【００２８】
また、フィン４０側の連結軸４３に、矢印（３）のように、リンク６０が取り付けられる。なお、矢印（３）の次に、矢印（２）を実施することは差し支えない。
最後に、矢印（４）のように、嵌合凹部３３に嵌合ピン２３を嵌めるようにして、吹出し口２１にフィン組立体３０を取り付ける。出来上がり姿を、図２に示す。
【００２９】
図２に示すように、空調用吹出し口装置１０は、例えば横長の樹脂品であり、操作ノブ６１の一部が上下の横フィン３１、３１の間から突出している。
図２の３−３線断面図である図３に示すように、枠部３２の左右の側面３２ａに、嵌合凹部３３と、この嵌合凹部３３から後方側に延びる案内部３４とが設けられている。
一方、吹出し口パネル２０においては、筒部２２の側面に、嵌合凹部３３に嵌合し得る嵌合ピン２３が設けられている。
【００３０】
フィン組立体３０を、吹出し口２１を介して筒部２２に嵌めようとすると、嵌合ピン２３は、案内部３４で案内され、この案内部３４を乗り越えるようにして嵌合凹部３３に嵌合し、これによりフィン組立体３０が吹出し口パネル２０に取り付けられる。
また、想像線で示すリンク６０が複数のフィン４０に掛け渡されているため、操作ノブ６１で１つのフィン４０を回動すると、残りのフィン４０が同期して回動する。
なお、操作ノブ６１は、フィン４０の軸線を中心に回動可能に連結されているが、横フィン３１の一つに摺動する構成とすることも可能である。
【００３１】
図４に示すように、自動車の車室内に配置される支持パネルとしての合成樹脂からなるインストルメントパネル１２には、例えば運転席側のサイドドアに近接した位置に空調用吹出し口装置１０が設けられている。
この空調用吹出し口装置１０の構成要素の一つである吹出し口パネル２０は、インストルメントパネル１２に取り付けられる内装パネルに相当する。
【００３２】
吹出し口パネル２０側の筒部２２が車両前方へ延びて、想像線で示すダクト１３に差し込まれる。これにより、吹出し口パネル２０とダクト１３は相互に連結され、空調機で発生した調和空気がダクト１３を介して吹出し口パネル２０に送られ、車室内へ吹出される。
【００３３】
フィン４０は、上の支持軸４２が枠部３２に設けた凹部３６に嵌められ、下の支持軸４２が枠部３２に設けた孔３５に嵌められている。よって、フィン４０は、支持軸４２を回転中心として、回動可能にフィン組立体３０に支持されている。
【００３４】
フィン組立体３０の枠部３２を人為的に押すと、嵌合ピン（図１、符号２３、２３）を回転中心にして、フィン組立体３０は全体的に回動する。この回動により、上向き吹出し、水平吹出し、下向き吹出しなどの吹出し形態が任意に得られる。
【００３５】
フィン４０の形態及び構造を、図５に基づいて詳しく説明する。
図５（ａ）に示すように、フィン４０は、上下に各々支持軸４２、４２を有するフィン本体４４と、支持軸４２（軸線４１）に平行であってフィン本体４４から延びる連結軸４３とを備えている。
【００３６】
ただし、連結軸４３とフィン本体４４とは直接繋がっていない。
すなわち、連結軸４３からフィン本体４４に向かって延びると共に連結軸４３より外径又は軸直角方向の幅が大きい当接部４５を有し、連結軸４３の先端にリンク（図４、符号６０）が抜けることを防止する抜け止め部４６を有している。
【００３７】
図５（ａ）のｂ−ｂ線断面図である図５（ｂ）に示すように、フィン本体４４の厚さｔに対して、当接部４５の外径（又は幅）ｄ１は、ｔの（１．１〜２．０）倍に設定される。
図５（ａ）のｃ−ｃ線断面図である図５（ｃ）に示すように、フィン本体４４と当接部４５とは、当接部４５の外径より大径の（又は幅が大きな）膨出部４７を介して繋がっている。この膨出部４７の利点は、図６で説明する。
【００３８】
図５（ｃ）に想像線で示す左型４８及び右型４９でフィン４０が樹脂成形される。パーティングラインと呼ばれる型合い面５１で、左型４８と右型４９を開くことでフィン４０が取り出される。
【００３９】
膨出部４７の作用を、図６に基づいて説明する。
図６（ａ）に示す比較例では、厚さがｔのフィン本体４４と、このｔより大きなｄ１を外径（又は幅）とする当接部４５との間に、下の段部５２ができる。断面寸法が急変するため、射出成形の際に、樹脂の流れが乱れ段部５２の付け根に欠肉などの欠陥ができやすい。
リンク（図４、符合６０）から当接部４５へ操作力が水平力に加わるため、段部５２の付け根に欠陥があると、その欠陥から亀裂が進行するなどの不具合の発生が心配される。
【００４０】
この点、図６（ｂ）に示す実施例では、フィン本体４４と当接部４５とは、当接部４５の外径（又は幅）ｄ１より大きい幅の膨出部４７を介して繋がっている。フィン本体４４と当接部４５との境界部に幅が大きな膨出部４７が樹脂の流れを円滑にすると共に樹脂量を確保するため、フィン本体４４と当接部４５との境界部に欠肉などの欠陥ができる心配がない。よって、フィン本体４４と当接部４５との境界部における強度が確保される。
【００４１】
また、図６（ｃ）に示す別の実施例のように、フィン本体４４と当接部４５とは、断面寸法が徐々に変わる断面徐変部５３を介して接続してもよい。断面徐変部５３の下端はフィン本体４４の厚さｔと同じで、断面徐変部５３の上端は当接部４５の外径（又は幅）ｄ１と同じである。
断面徐変部５３で断面寸法が徐々に変わるため、欠肉などの欠陥が出にくくなる。
図６（ｃ）であれば、図６（ｂ）よりも断面形状が単純化されているため、樹脂成形に供する金型の設計が容易になる。
【００４２】
次に、リンク６０の形状及び構造の一例を、図７に基づいて説明する。
図７（ａ）に示すように、リンク６０は、細長い板状のリンク本体部６２と、このリンク本体部６２に部分的に付設される柱状のボス部６３とからなる。リンク本体部６２を上から見ると、挿入孔６４の一端が見える。
底面図に対応する図７（ｂ）に示すように、ボス部６３を下から見ると摺接孔６５の一端が見える。
【００４３】
リンク６０の断面図である図７（ｃ）に示すように、リンク６０には、当接部４５が嵌る摺接孔６５と、連結軸４３が嵌る挿入孔６４とが連続して設けられる。
摺接孔６５の孔径（又は幅）Ｄ１は、挿入孔６４の孔径（又は幅）Ｄ２よりも、十分に大きい。摺接孔６５の内周面が摺接面６５ａとなる。
【００４４】
この例では、ボス部６３に摺接孔６５の全部と、挿入孔６４の一部とを形成し、リンク本体部６２に挿入孔６４の残部を形成した。しかし、ボス部６３に摺接孔６５のみを形成し、リンク本体部６３に挿入孔６４のみを形成することや、リンク本体部６２に挿入孔６４の全部と、摺接孔６５の一部とを形成し、ボス部６３に摺接孔６５の残部を形成することは差し支えない。
以上に述べた形態が全て含まれるように、リンク本体部６２には主として挿入孔６４を形成し、ボス部６３には主として摺接孔６５を形成するようにする。
【００４５】
リンク６０に対応させるために、図７（ｄ）に連結軸４３等を掲載した。当接部４５の外径（又は幅）をｄ１、連結軸４３の外径（又は幅）をｄ２、抜け止め部４６の外径（又は幅）をｄ３とする。
【００４６】
ここで、ｄ１は、Ｄ１とほぼ等しく設定する。その上で、ｄ２＜ｄ３＜ｄ１に設定する。すると、ｄ２とｄ３は共にＤ１よりも小さくなる。
また、Ｄ２は、ｄ２より大きく、ｄ３より小さく設定する。
【００４７】
リンク６０は、図７（ｅ）で示すように、下型６６及び上型６７で、樹脂成形される。この例では、摺接孔６５を形成する大径ピン６８と挿入孔６４を形成する小径ピン６９は、下型６６に一体形成されている。キャビティへ溶融樹脂材料を射出し、固化したら下型６６と上型６７を開き、リンク６０を取り出す。
【００４８】
図７（ａ）の８ａ−８ａ線断面図を図８（ａ）に示す。図８（ｂ）は変更例を示す。
図８（ｂ）に示すように、リンク６０はボス部６３を含む厚さのリンク本体部６２のみで構成してもよい。金型設計が容易になる。
しかし、図８（ａ）に示すリンク６０の方が、ボス部６３とボス部６３の間に欠肉部７１が出来、軽量化が図れるという利点がある。
【００４９】
次に、フィン４０にリンク６０を取り付ける工程の詳細を、図９に基づいて説明する。
図９（ａ）に示すように、抜け止め部４６が上になっている形態の連結軸４３へ、リンク６０を相対的に移動（下降）する。相対的であるから、止まっているリンク６０へ、連結軸４３を移動（上昇）することは差し支えない。
【００５０】
図９（ｂ）に示すように、ｄ２＜ｄ３＜Ｄ１であるから、抜け止め部４６及び連結軸４３は、摺接面６５ａに接触することなく、摺接孔６５内へ進入する。抜け止め部４６及び連結軸４３が摺接面６５ａに接触しないため、摺接面６５ａが荒らされる心配はない。
【００５１】
仮に、摺接面６５ａが荒れると、後述する図９（ｄ）において、当接部４５と摺接面６５ａとの間の摩擦係数が変化又は変動し、所望の摺動抵抗が得られにくくなる。
この点、本例では、摺接面６５ａが平坦のままであるから、所望の摺動抵抗が容易に得られる。
【００５２】
すなわち、図９（ｂ）に示すように、組付け時に連結軸４３及び抜け止め部４６が摺接面６５ａと接することが無く摺接面６５ａの表面と当接部４５に影響が及ばないため、摺動抵抗を容易に調整することが可能となる。一般に所望の摺動抵抗を得るまで、当接部４５の外径（又は幅）、或いは摺接孔６５の径（又は幅）の調整が繰り返し行われる。この繰り返しにより熟成される。本発明によれば、摺動抵抗を容易に調整することができるため、熟成工数の削減およびコスト削減を図ることができる。
【００５３】
抜け止め部４６が挿入孔６４の下の口に達したら、リンク６０を下向きに強く押す。抜け止め部４６が先端（この例では上方）に向かって先細り形状を呈しているため、抜け止め部４６が挿入孔６４に進入する。
【００５４】
図９（ｃ）に示すように、挿入孔６４が抜け止め部４６で拡径されながらリンク６０が下がる。リンク６０は樹脂製品であり、弾性変形するため、抜け止め部４６で拡径された後に、縮径する。ただし、変形が残存するために、拡径前の径よりも縮径後の径は若干大径となる。
【００５５】
図９（ｄ）に示すように、連結軸４３と挿入孔６４との間に、比較的大きな隙間７２ができる。一方、当接部４５は、殆ど隙間がない状態で、摺接孔６５に嵌る。嵌った後の形態を、図１０に示す。
【００５６】
図１０に示すように、当接部４５が摺接孔６５に嵌り、連結軸４３が挿入孔６４に嵌っている。
リンク６０は図面表裏方向に移動する。この移動の際にリンク６０が上又は下へ移動することがある。上への移動は、抜け止め部４６で制限され、下への移動は、当接部４５の上面段部５４で制限される。
また、リンク６０が移動すると、リンク６０から当接部４５へ力が伝達される。この力に摩擦係数を乗じて得られる摩擦力（摺動抵抗）が、摺接孔６５の摺接面６５ａに発生する。
【００５７】
空調の風でフィン４０に旋回力が加わっても、摺接孔６５に当接部４５が密に嵌っていると共に摺接面６５ａに適度な摺動抵抗が発生するため、リンク６０で拘束され、フィン４０がガタつく心配はない。
【００５８】
当接部４５と摺接面６５ａとの間に発生する摺動抵抗を適切な値にすることが重要になる。
摺動抵抗は、当接部４５の外径（又は幅）または摺接孔６５の孔径（又は幅）を変えることで修正できる。
【００５９】
具体的には、図５（ｃ）に示す左型４８及び右型４９を修正することで、当接部４５の外径（又は幅）を変更することができる。又は、図７（ｅ）に示す下型６６側の大径ピン６８を修正することで、摺接孔６５の孔径（又は幅）を変更することができる。
【００６０】
何れの修正法も採用可能であるが、当接部４５の外径（又は幅）を変更する場合は、左型４８と右型４９の両方の金型を修正する必要があるため、型修正コストが嵩む。対して、摺接孔６５の孔径（又は幅）を変更する場合は、下型６６だけを修正すればよいため、型修正コストの低減が図れる。
よって、当接部４５よりは、摺接孔６５を変更することが推奨される。
【００６１】
本発明では、連結軸４３と挿入孔６４との間に隙間７２が確保されており、連結軸４３は力の伝達や摩擦力の発生には寄与しない。図９（ｃ）に示すように、抜け止め部４６で挿入孔６４が拡径され、図９（ｄ）における挿入孔６４の孔径の仕上がりに、ばらつきがあっても差し支えないこととなる。挿入孔６４の内周面に擦り傷などが残っても、この擦り傷が問題になることはない。よって、連結軸４３へのリンク６０の取り付け作業が容易になる。
【００６２】
抜け止め部４６の各種形態を、図１１に基づいて説明する。
図１１（ａ）に示すように、抜け止め部４６は、球体の一部で構成され、丸みを帯びた先細り形状を呈している。
図１１（ｂ）に示すように、抜け止め部４６は、円錐台であって、先細り形状を呈している。
【００６３】
図１１（ｃ）に示すように、抜け止め部４６は、円柱部４６ａと、この円柱部４６ａの上に一体形成した円錐台４６ｂとからなり、先細り形状を呈している。
図１１（ａ）〜（ｃ）に例示したように、先細り形状の抜け止め部４６は、先細りであればよく、図１１（ａ）〜（ｃ）の形状の他、類似した形態でもよく、その形状は実施例に限定されるものではない。
【００６４】
抜け止め部４６が先細り形状を呈しているため、リンク６０の組付け時に、抜け止め部４６と挿入孔６４の干渉部位が最小限に抑えられる。結果、挿入孔６４の変形が防止されると共に組付けが容易になる。
また、先細り形状がガイド作用を発揮するため、挿入孔６４へ抜け止め部４６が進入しやすくなり、挿入孔６４の変形防止と組付け性の向上とが図れる。
【００６５】
次に、当接部４５の各種形態を、図１２に基づいて説明する。
図１２（ａ）に示すように、円柱状の当接部４５に、円柱状の連結軸４３を連続させ、この連結軸４３の先端に円板（平板）状の抜け止め部４６を一体形成してもよい。
リンク６０側の挿入孔６４が下に拡開するテーパー孔であるときに、好適である。テーパー孔が抜け止め部４６を案内するガイド作用を発揮する。
【００６６】
図１２（ｂ）に示すように、円柱状の当接部４５に、下半部が円錐台で上半部が円柱状である連結軸４３を連続させ、この連結軸４３の先端に抜け止め部４６を一体形成してもよい。
リンク６０側の挿入孔６４がテーパー孔と円筒孔を連続させたものであるときに、好適である。
【００６７】
図１２（ｃ）に示すように、円錐台状の当接部４５に、円柱状の連結軸４３を連続させ、この連結軸４３の先端に抜け止め部４６を一体形成してもよい。
リンク６０側の摺接孔６５及び挿入孔６４が連続したテーパー孔であるときに、好適である。テーパー孔であるため、円筒孔に比べて摺接面積が大きくなり、摺動抵抗の安定化が期待される。
【００６８】
図１２（ｄ）に示すように、円錐台状の当接部４５に、円柱状の連結軸４３を連続させ、この連結軸４３の先端に抜け止め部４６を一体形成してもよい。
リンク６０側の摺接孔６５がテーパー孔であるときに、好適である。テーパー孔であるため、円筒孔に比べて摺接面積が大きくなり、摺動抵抗の安定化が期待される。
【００６９】
このように、当接部４５は円柱形状に限定されず、円錐台形状であってもよい。同様に、連結軸４３は円柱形状に限定されず、円錐台形状であってもよい。
【００７０】
なお、図１２（ｃ）、（ｄ）の例では、円錐台状の当接部４５により、リンク６０が迫り上がり易くなる。迫り上がると、抜け止め部４６に上向き力が加わる。
抜け止め部４６の負荷軽減を考慮すると、図１２（ｃ）、（ｄ）よりは、リンク６０が迫り上がる心配のない図１２（ａ）、（ｂ）が好ましい。
【００７１】
次に、当接部４５の変更例を、図１３に基づいて説明する。
図１３（ａ）のｂ−ｂ線断面図である図１３（ｂ）に示すように、当接部４５は、柱部４５ａと、この柱部４５ａから放射状に張り出した複数の張り出し部４５ｂとからなり、複数の張り出し部４５ｂが摺接面６５ａに接している。この例では、張り出し部４５ｂは、９０°ピンチで４枚設けたが、枚数はこの数に限定されない。隣接する張り出し部４５ｂと張り出し部４５ｂとの間が肉抜きされているため、当接部４５の軽量化が図れる。
図１３（ａ）に示すように、摺接孔６５に当接部４５が嵌り、挿入孔６４に隙間７２を置いて連結軸４３が嵌っている。
【００７２】
当接部４５の更なる変更例を、図１４に基づいて説明する。
図１４（ａ）に示すように、２枚の平板を十文字にしたような当接部４５に、平板状の連結軸４３が連続し、この連結軸４３に台形状の抜け止め部４６が一体形成されている。  好ましくは、台形状の抜け止め部４６の両側面に、各々三角形の止め爪７４を一体形成する。
図１４（ｂ）に示すように、摺接孔６５に当接部４５が嵌り、挿入孔６４に隙間７２を置いて連結軸４３が嵌っている。
【００７３】
図１４（ｂ）のｃ−ｃ線断面図である図１４（ｃ）に示すように、十文字状の当接部４５が摺接孔６５に嵌っており、摺接面６５ａとの間で十分な摩擦力を発生する。
図１４（ｂ）のｄ−ｄ線断面図である図１４（ｄ）に示すように、矩形断面の連結軸４３は、挿入孔６４に隙間７２を置いて配置される。
図１３に例示したように、当接部４５は、軸形状に限定されるものではない。また、図１４に例示したように、連結軸４３は、軸形状に限定されるものではない。
【００７４】
尚、当接部４５、連結軸４３及び抜け止め部４６は、図１に示す５枚のフィン４０の全てに設けることが望ましいが、当接部４５及び抜け止め部４６を一部のフィン４０だけに設けることは差し支えない。
具体的には、例えば、５枚のフィン４０のうちの１枚のフィン（例えば中央のフィン）４０にだけ、当接部４５、連結軸４３及び抜け止め部４６を設け、残りのフィン４０には連結軸４３だけを設けることで、残りのフィン４０から当接部４５及び抜け止め部４６を割愛することができる。この場合、挿入孔６４の縮径もしくは連結軸４３の拡径で摺動抵抗を発生させればよい。又は、孔３５もしくは凹部３６の縮径、または支持軸４２の拡径で摺動抵抗を発生させればよい。
【００７５】
又は、５枚のフィン４０のうちの２枚のフィン（例えば左端のフィンと右端のフィン）４０に、当接部４５、連結軸４３及び抜け止め部４６を設け、残りの３つのフィン４０には連結軸４３を設ける。
又は、５枚のフィン４０のうちの３枚のフィン（例えば中央のフィンと左端のフィンと右端のフィン）４０に、当接部４５、連結軸４３及び抜け止め部４６を設け、残りの２つのフィン４０には連結軸４３を設ける。
【００７６】
又は、５枚のフィン４０のうちの４枚のフィン（例えば中央のフィンを除く４つのフィン）４０に、当接部４５、連結軸４３及び抜け止め部４６を設け、残りの１つのフィン（中央のフィン）４０には連結軸４３を設ける。
よって、当接部４５、連結軸４３及び抜け止め部４６は、５枚のフィン４０のうち少なくとも一つに設ければよいこととなる。
【００７７】
また、図４に示す実施例では、フィン４０を、フィン組立体３０の枠部３２に軸支させるようにしたが、吹出し口パネル２０の筒部２２に軸支させるようにしてもよい。
また、吹出し口パネル２０と筒部２２とを別部品とすることも可能である。
【００７８】
さらには、図１に示す例では、複数の横フィン３１は、フィン組立体３０の枠部３２に固定されている。しかし、複数の横フィン３１の各々を適当な保持部材に回動可能に支持させ、保持部材をダクト１３等に組付けてもよい。そして、回動可能な横フィン３１同士を縦リンクで繋ぎ、この縦リンクに適当な指掛けを取り付け、人為的に指掛けを操作することで横フィン３１の角度を調整するようにしてもよい。
【００７９】
また、図１において、フィン４０の天地を逆にして、下へ延びる連結軸４３へ下からリンク６０を取り付けるようにしてもよい。
【００８０】
また。本実施例は横長の吹出し口となっている為、フィン４０の配列方向は左右方向になっているが、縦長の吹出し口２１に上下方向のフィン４０の配列でも適用することも可能である。
【産業上の利用可能性】
【００８１】
本発明は、リンクで複数のフィンを回動して風向を調整する形式の空調用吹出し口装置に好適である。
【符号の説明】
【００８２】
１０…空調用吹出し口装置、２０…吹出し口パネル、２１…吹出し口、２２…筒部、３０…フィン組立体、３５…孔、３６…凹部、４０…フィン、４１…軸線、４２…支持軸、４３…連結軸、４４…フィン本体、４５…当接部、４６…抜け止め部、６０…リンク、６２…リンク本体部、６３…ボス部、６４…挿入孔、６５…摺接孔、６５ａ…摺接面、７２…隙間、ｄ１…当接部の外径（又は幅）、ｄ２…連結軸の外径（又は幅）。
【図１】
2019031192.tif 000003
【図２】
2019031192.tif 000004
【図３】
2019031192.tif 000005
【図４】
2019031192.tif 000006
【図５】
2019031192.tif 000007
【図６】
2019031192.tif 000008
【図７】
2019031192.tif 000009
【図８】
2019031192.tif 000010
【図９】
2019031192.tif 000011
【図１０】
2019031192.tif 000012
【図１１】
2019031192.tif 000013
【図１２】
2019031192.tif 000014
【図１３】
2019031192.tif 000015
【図１４】
2019031192.tif 000016